(57)【要約】      （修正有）【課題】包装の複雑度を低減することができる包装箱及びこれを形成する板材を提供する。【解決手段】被包装物を載置する箱本体及び前記箱本体内に位置する第一緩衝部８１０を備え、前記箱本体及び前記第一緩衝部は一体成型される。包装箱を形成する板材は、前記包装箱の箱本体の側壁を形成するように順次に接続された後壁板、左壁板、前壁板及び右壁板と、前記包装箱の箱本体の頂板を形成する前頂板及び後頂板と、前記包装箱の箱本体の底板を形成する前底板及び後底板と、前記包装箱の箱本体内に位置する第一緩衝部を形成する第一緩衝部材と、備え、前記板材の４つの壁板、２つの頂板、２つの底板及び１つの第一緩衝部材は一体成型され、前記後壁板、前記左壁板、前記前壁板及び前記右壁板の間、前記前頂板及び前記前底板と前記前壁板の間、前記後頂板及び前記後底板と前記後壁板の間に折目線を設ける。【選択図】図５
2011195201.tif 000002
【特許請求の範囲】
【請求項１】
被包装物を載置する箱本体及び前記箱本体内に位置する第一緩衝部を備え、前記箱本体及び前記第一緩衝部は一体成型されることを特徴とする包装箱。
【請求項２】
前記包装箱は、前記箱本体と一体成型される第二緩衝部をさらに備え、前記第一緩衝部及び前記第二緩衝部は、別々に前記箱本体の対向する両側に接続されて、前記被包装物を前記第一緩衝部と前記第二緩衝部との間に載置させることを特徴とする請求項１に記載の包装箱。
【請求項３】
前記包装箱は、前記箱本体と一体成型される第三緩衝部及び第四緩衝部をさらに備え、前記第三緩衝部と前記第一緩衝部とは対称設置され、前記第四緩衝部と前記第二緩衝部とは対称設置され、前記第一緩衝部及び前記第三緩衝部は、前記被包装物の両端の下側に位置し、前記第二緩衝部及び前記第四緩衝部は、前記被包装物の両端の上側に位置することを特徴とする請求項２に記載の包装箱。
【請求項４】
前記包装箱は、第五緩衝部及び第六緩衝部をさらに備え、前記第五緩衝部の一端は、前記第一緩衝部及び前記第二緩衝部の一端に固定され、前記第五緩衝部の他端は、前記第三緩衝部及び前記第四緩衝部の一端に固定され、前記第六緩衝部の一端は、前記第一緩衝部及び前記第二緩衝部の他端に固定され、前記第六緩衝部の他端は、前記第三緩衝部及び前記第四緩衝部の他端に固定されることを特徴とする請求項３に記載の包装箱。
【請求項５】
包装箱を形成するために用いられ、
前記包装箱の箱本体の側壁を形成するように順次に接続された後壁板、左壁板、前壁板及び右壁板と、
前記包装箱の箱本体の頂板を形成する前頂板及び後頂板と、
前記包装箱の箱本体の底板を形成する前底板及び後底板と、
前記包装箱の箱本体内に位置する第一緩衝部を形成する第一緩衝部材と、
備えてなる板材であって、
前記板材の４つの壁板、２つの頂板、２つの底板及び１つの第一緩衝部材は一体成型され、
前記後壁板、前記左壁板、前記前壁板及び前記右壁板の間、前記前頂板及び前記前底板と前記前壁板の間、前記後頂板及び前記後底板と前記後壁板の間には、折目線が設けられることを特徴とする板材。
【請求項６】
前記板材は、前記包装箱の箱本体内に位置する第二緩衝部を形成する第二緩衝部材をさらに備え、前記板材の４つの壁板、２つの頂板、２つの底板、１つの第一緩衝部材及び１つの第二緩衝部材は一体成型され、前記第一緩衝部材及び前記第二緩衝部材は、前記左壁板の両側に接続され、前記第一緩衝部材及び前記第二緩衝部材と前記前記左壁板との間には、折目線が設けられることを特徴とする請求項５に記載の板材。
【請求項７】
前記板材は、前記包装箱の箱本体内に位置する第三緩衝部及び第四緩衝部を形成する第三緩衝部材及び第四緩衝部材をさらに備え、前記板材の４つの壁板、２つの頂板、２つの底板、１つの第一緩衝部材、１つの第二緩衝部材、１つの第三緩衝部及び１つの第四緩衝部は一体成型され、前記第三緩衝部材及び前記第四緩衝部材は、前記右壁板の両側に接続され、前記第三緩衝部材及び前記第四緩衝部材と前記右壁板との間には、折目線が設けられることを特徴とする請求項６に記載の板材。
【発明の詳細な説明】
【技術分野】
【０００１】
本発明は、包装材料に関するものであり、特に包装箱及びこれを形成する板材に関するものである。
【背景技術】
【０００２】
多くの製品は包装してから出荷する。電子製品を包装する際、緩衝措置を取って、運搬しており、電子製品が外力によって押圧されるか又は衝撃を受けて損害が生じることを防いでいる。
【０００３】
緩衝措置とは、製品を包装箱に載置してから、固定構造によって製品を包装箱内に固定し、且つ製品の周囲に防振材料を充填することである。このような緩衝措置は、防振することができるが、製品を包装する操作が面倒であり、且つスポンジ又は紙屑のような防振材料を必要とするため、包装の複雑度を増してしまう。
【発明の概要】
【発明が解決しようとする課題】
【０００４】
本発明の目的は、前記課題を解決し、包装の複雑度を低減することができる包装箱及びこれを形成する板材を提供することである。
【課題を解決するための手段】
【０００５】
本発明に係る包装箱は、被包装物を載置する箱本体及び前記箱本体内に位置する第一緩衝部を備え、前記箱本体及び前記第一緩衝部が一体成型される。
【０００６】
本発明に係る板材は、包装箱を形成するために用いられ、前記包装箱の箱本体の側壁を形成するように順次に接続された後壁板、左壁板、前壁板及び右壁板と、前記包装箱の箱本体の頂板を形成する前頂板及び後頂板と、前記包装箱の箱本体の底板を形成する前底板及び後底板と、前記包装箱の箱本体内に位置する第一緩衝部を形成する第一緩衝部材と、備え、前記板材の４つの壁板、２つの頂板、２つの底板及び１つの第一緩衝部材は一体成型され、前記後壁板、前記左壁板、前記前壁板及び前記右壁板の間、前記前頂板及び前記前底板と前記前壁板の間、前記後頂板及び前記後底板と前記後壁板の間には、折目線が設けられる。
【発明の効果】
【０００７】
本発明の包装箱を用いて被包装物を包装する際、前記包装箱の箱本体及び前記箱本体内に位置する第一緩衝部は一体成型されているので、被包装物を前記第一緩衝部の上に直接に載置してから、被包装物の周囲に防振材料を充填することを必要とせず、従って包装の複雑度を低減する。
【図面の簡単な説明】
【０００８】
【図１】本発明の実施形態に係る板材の構造を示す図である。
【図２】図１に示す板材のII部分の拡大図である。
【図３】図１に示す板材を折り曲げて形成した包装箱の局部立体図である。
【図４】図３に示す包装箱の別の視角からの局部立体図である。
【図５】図１に示す板材を折り曲げて形成した包装箱の立体図である。
【発明を実施するための最良の形態】
【０００９】
以下、図面を参照して、本発明の実施形態について説明する。
【００１０】
図１に示されたように、板材８８は、前壁板１１０と、後壁板１２０と、左壁板１３０と、右壁板１４０と、前底板１５０と、後底板１６０と、前頂板１７０と、後頂板１８０と、左上緩衝部材１９０と、右上緩衝部材２００と、左下緩衝部材２１０と、右下緩衝部材２２０と、固定板２３０と、を備える。
【００１１】
前記前壁板１１０、前記後壁板１２０、前記左壁板１３０及び前記右壁板１４０は、全て矩形である。前記後壁板１２０、前記左壁板１３０、前記前壁板１１０、前記右壁板１４０及び前記固定板２３０は、順次に互いに接続される。前記後壁板１２０と前記左壁板１３０との間には、折目線１１が設けられ、前記左壁板１３０と前記前壁板１１０との間には、折目線１２が設けられ、前記前壁板１１０と前記右壁板１４０との間には、折目線１３が設けられ、前記右壁板１４０と前記固定板２３０との間には、折目線１４が設けられ、これらの折目線１１、１２、１３、１４は、互いに平行とする。
【００１２】
前記前底板１５０及び前記前頂板１７０は、全て矩形であり且つ前記前壁板１１０の対向する両側に接続される。前記前底板１５０と前記前壁板１１０との間には、折目線２１が設けられ、前記前頂板１７０と前記前壁板１１０との間には、折目線２２が設けられる。前記折目線２１及び折目線２２は、互いに平行であり且つ前記折目線１２、１３に直交するように接続する。
【００１３】
前記後底板１６０及び前記後頂板１８０は、全て矩形であり且つ前記後壁板１２０の対向する両側に接続される。前記後底板１６０と前記後壁板１２０との間には、折目線２３が設けられ、前記後頂板１８０と前記後壁板１２０との間には、折目線２４が設けられる。前記折目線２３及び折目線２４は、互いに平行であり且つ前記折目線１１に直交するように接続する。
【００１４】
前記左上緩衝部材１９０及び前記左下緩衝部材２１０は、全て矩形であり且つ前記左壁板１３０の対向する両側に接続される。前記左上緩衝部材１９０と前記左壁板１３０との間には、折目線２５が設けられ、前記左下緩衝部材２１０と前記左壁板１３０との間には、折目線２６が設けられる。前記折目線２５及び折目線２６は、互いに平行であり且つ前記折目線１１、１２に直交するように接続する。
【００１５】
前記右上緩衝部材２００及び前記右下緩衝部材２２０は、全て矩形であり且つ前記右壁板１４０の対向する両側に接続される。前記右上緩衝部材２００と前記右壁板１４０との間には、折目線２７が設けられ、前記右下緩衝部材２２０と前記右壁板１４０との間には、折目線２８が設けられる。前記折目線２７及び折目線２８は、互いに平行であり且つ前記折目線１３、１４に直交するように接続する。
【００１６】
前記左上緩衝部材１９０には、第一折目線１９２、第二折目線１９４及び第三折目線１９６が設けられる。前記第一折目線１９２、前記第二折目線１９４及び前記第三折目線１９６は、互いに平行であり且つ前記左壁板１３０から離れる方向に沿って配列されて、前記左上緩衝部材１９０を４つの部分に分ける。前記第二折目線１９４と前記第三折目線１９６との間には、２つの細長い開口１９８が開設される。２つの前記開口１９８は、互いに平行であり且つ前記第二折目線１９４に直交するように接続する。
【００１７】
図２を参照すると、前記左下緩衝部材２１０は、前記折目線２６に平行な第一辺縁２１６、前記折目線２６及び前記第一辺縁２１６に直交するように接続する第二辺縁２１７及び第三辺縁２１８を備える。前記第二辺縁２１７は、前記後底板１６０に近い。前記第三辺縁２１８は、前記前底板１５０に近い。前記左下緩衝部材２１０には、第四折目線２１２及び第五折目線２１４が設けられる。前記第四折目線２１２及び前記第五折目線２１４は、互いに平行であり且つ前記左壁板１３０から離れる方向に沿って配列される。前記第四折目線２１２と前記第五折目線２１４との間には、第一開口２１６１、第二開口２１６２、第三開口２１６３、第四開口２１６４、第五開口２１６５、第六開口２１６６、第七開口２１６７及び隙間２１６８が開設される。
【００１８】
前記第一開口２１６１及び前記第二開口２１６２は、細長く且つ前記第四折目線２１２及び前記第五折目線２１４に直角とする。前記第一開口２１６１は前記第二辺縁２１７に近く、前記第二開口２１６２は前記第三辺縁２１８に近い。前記第二開口２１６２の長さは、前記第一開口２１６１の長さより短く、且つ前記第二開口２１６２の前記第四折目線２１２に近い一端及び前記第一開口２１６１の前記第四折目線２１２に近い一端は同じ直線上に位置する。前記隙間２１６８は、前記第二開口２１６２に連通し且つ前記第一開口２１６１に平行とする。前記隙間２１６８の前記第二開口２１６２から離れている一端及び前記第一開口２１６１の前記第五折目線２１４に近い一端は、同じ直線上に位置する。前記第一開口２１６１と前記第二辺縁２１７との間には、折目線５１が設けられる。前記隙間２１６８と前記第三辺縁２１８との間には、折目線５２が設けられる。前記折目線５１及び前記折目線５２は、同じ直線上に位置し且つ前記第四折目線２１２及び前記第五折目線２１４に平行とする。
【００１９】
前記第三開口２１６３及び前記第四開口２１６４は、対称設置され且つ前記第一開口２１６１と前記第二開口２１６２との間に位置する。前記第三開口２１６３は前記第一開口２１６１に近く、前記第四開口２１６４は前記第二開口２１６２に近い。前記第三開口２１６３及び前記第四開口２１６４の前記第四折目線２１２に近い一端と前記第二開口２１６２の前記第四折目線２１２から離れている一端は、同じ直線上に位置する。前記第三開口２１６３及び前記第四開口２１６４の前記第四折目線２１２から離れている他端は、前記第五折目線２１４に接続する。前記第三開口２１６３及び前記第四開口２１６４の前記第四折目線２１２に近い一端は、前記第三開口２１６３及び前記第四開口２１６４の前記第四折目線２１２から離れている他端の間に位置する。
【００２０】
本実施形態において、前記第三開口２１６３及び前記第四開口２１６４は、全て前記第五折目線２１４に直交するように接続する第一部分３１及び前記第一部分３１に連通する第二部分３２を備える。前記第三開口２１６３の第二部分３２及び前記第四開口２１６４の第二部分３２は別々に前記第三開口２１６３の第一部分３１に接続する一端及び前記第四開口２１６４の第一部分３１に接続する一端から前記第四折目線２１２に向かって延在し且つ前記２つの第一部分３１の間で対向して曲げられている。
【００２１】
前記第三開口２１６３の第二部分３２と前記第四開口２１６４の第二部分３２との間には、折目線５３が設けられる。前記第三開口２１６３の第一部分３１及び第二部分３２の接続箇所と前記第一開口２１６１の前記第五折目線２１４に近い一端との間には、折目線５４が設けられる。前記第四開口２１６４の第一部分３１及び第二部分３２の接続箇所と前記隙間２１６８の前記第五折目線２１４に近い一端との間には、折目線５５が設けられる。前記折目線５３、５４、５５は、全て前記第四折目線２１２及び前記第五折目線２１４に平行とし、且つ前記折目線５４、５５は同じ直線上に位置する。
【００２２】
前記第五開口２１６５は、前記第一開口２１６１と前記第三開口２１６３との間に位置する。前記第五開口２１６５は、一字状の第三部分３３と、前記第三部分３３の両端に直交して連通する第四部分３４及び第五部分３５と、を備える。前記第四部分３４及び前記第五部分３５は、前記第三部分３３と前記折目線５４との間に位置する。前記第四部分３４は、前記第一開口２１６１と前記第三部分３３との間に位置し、且つ前記第四部分３４の前記第三部分３３から離れている一端と前記第一開口２１６１との間には、折目線５６が設けられる。前記第五部分３５は、前記第三開口２１６３と前記第三部分３３との間に位置し、且つ前記第五部分３５の前記第三部分３３から離れている一端と前記第三開口２１６３の第二部分３２との間には、折目線５７が設けられる。前記折目線５６及び前記折目線５７は、同じ直線上に位置し且つ前記第四折目線２１２及び前記第五折目線２１４に平行とする。
【００２３】
前記第六開口２１６６は、鼎状であり、前記第二開口２１６２と前記第四開口２１６４との間に位置する。前記第六開口２１６６は、略矩形の第六部分３６と、前記第六部分３６に連通する第七部分３７及び第八部分３８と、を備える。前記第六部分３６の前記第四折目線２１２から離れている片側にある２つの角は、円滑に移行する。前記第六部分３６の前記第四折目線２１２に直交する対向する２つの辺縁と前記第一開口２１６１の前記第四折目線２１２に近い一端及び前記第二開口２１６２の前記第四折目線２１２に近い一端との間には、折目線５８及び折目線５９がそれぞれに設けられる。前記折目線５８及び前記折目線５９は、同じ直線上に位置し且つ前記第四折目線２１２及び前記第五折目線２１４に平行とする。前記第七部分３７及び前記第八部分３８は、互いに平行とし、且つ前記第六部分３６の前記第四折目線２１２から離れている片側に位置する両端から前記折目線５５に向かって延在し且つ前記折目線５５に直角とする。前記第七部分３７は前記第四開口２１６４と前記第八部分３８との間に位置し、且つ前記第七部分３７の前記第六部分３６から離れている一端と前記第四開口２１６４との間には、折目線６０が設けられる。前記第八部分３８は前記第二開口２１６２と前記第七部分３７との間に位置し、且つ前記第八部分３８の前記第六部分３６から離れている一端と前記第二開口２１６２との間には、折目線６１が設けられる。前記折目線５６、５７、６０、６１は、同じ直線上に位置し且つ前記第四折目線２１２及び前記第五折目線２１４に平行とする。
【００２４】
前記第七開口２１６７は、矩形であり、且つ前記第五開口２１６５と前記第六開口２１６６との間に位置する。前記第七開口２１６７の対向する２つの長辺は、別々に前記第四折目線２１２及び前記折目線５８と重なる。
【００２５】
前記右上緩衝部材２００の構造は、前記左上緩衝部材１９０の構造と類似するが、前記右上緩衝部材２００には、ただ１つの細長い開口２０２が開設される。前記右下緩衝部材２２０の構造は、前記左下緩衝部材２１０の構造と同じであり、且つ前記右下緩衝部材２２０及び前記左下緩衝部材２１０は対称設置される。
【００２６】
前記板材８８は、前挿入部材２４０及び後挿入部材２５０をさらに備える。前記前挿入部材２４０には、互いに平行な２つの第六折目線２４２が設けられる。２つの前記第六折目線２４２は、前記前挿入部材２４０を細長い中間部分２４４及び前記中間部分２４４の対向する両側に位置する２つの側面２４６に分ける。前記側面２４６は、緩衝部分２４６２と、前記緩衝部分２４６２の対向する両側に接続される第一係合部分２４６４及び第二係合部分２４６６と、前記第二係合部分２４６６の前記緩衝部分２４６２から離れている一端から外側へ延在する挿入部分２４６８と、を備える。前記中間部分２４４は、２つの前記側面２４６の間に接続されており、且つ前記第一係合部分２４６４と前記第二係合部分２４６６との間に位置する。
【００２７】
前記緩衝部分２４６２、前記第一係合部分２４６４及び前記第二係合部分２４６６は、全て略矩形であり、これらの四角は全て円滑に移行する。前記挿入部分２４６８は、台形である。前記第一係合部分２４６４と前記緩衝部分２４６２との接続箇所の対向する両側には、それぞれ１つのＵ字状の係合口２４６９が開設される。前記第二係合部分２４６６と前記緩衝部分２４６２との接続箇所の対向する両側には、それぞれ１つのＵ字状の係合口２４６９が開設される。前記係合口２４６９は、前記第一係合部分２４６４の円角及び前記第二係合部分２４６６の円角と前記緩衝部分２４６２の円角とが囲んで形成される。
【００２８】
前記後挿入部材２５０の構造は、前記前挿入部材２４０の構造と類似するが、前記後挿入部材２５０の２つの第二係合部分２４６６は全て鈎状であり、且つ２つの前記鈎部は、向かい合って延在する。前記後挿入部材２５０の２つの第二係合部分２４６６は、対称設置される。
【００２９】
以下、図１及び図３を参照して、前記板材８８を折り曲げて包装箱９９形成する過程を説明する。先ず、前記後壁板１２０、前記左壁板１３０、前記前壁板１１０、前記右壁板１４０及び前記固定板２３０を前記折目線１１、１２、１３、１４に沿って折り曲げてから、前記固定板２３０を前記後壁板１２０の内側に固定して、前記包装箱９９の４つの側壁を形成し、前記４つの側壁が順次に接続される。
【００３０】
次に、前記左下緩衝部材２１０が前記左壁板１３０に直交するまで、前記折目線２６に沿って前記左下緩衝部材２１０を前記左壁板１３０の内側へ折り曲げる。図２〜図４を参照すると、続いて前記第四折目線２１２と前記第一辺縁２１６との間の部分が前記左壁板１３０に平行となるまで、前記第四折目線２１２に沿って前記左下緩衝部材２１０を上へ折り曲げる。それから、順次に折目線５８、５９、５１、５２に沿って前記左壁板１３０に向かって折り曲げ、折目線５３、５６、５７、６０、６１に沿って上へ折り曲げ、折目線５４、５５に沿って前記左壁板１３０に向かって折り曲げ、前記第五折目線２１４に沿って上へ折り曲げてから、前記第五折目線２１４と前記第一辺縁２１６との間の部分を前記左壁板１３０に固定して、第一緩衝部８１０を形成する。
【００３１】
図５を参照すると、前記第一緩衝部８１０は、前記前壁板１１０に当接する前緩衝部８１２、前記後壁板１２０に当接する後緩衝部８１４、下緩衝部８１６及び２つの左緩衝部８１８を備える。前記前緩衝部８１２は、前記第二開口２１６２の前辺縁、前記隙間２１６８の前辺縁及び前記左下緩衝部材２１０の第三辺縁２１８が囲んでなる。前記後緩衝部８１４は、前記第一開口２１６１の後辺縁及び前記左下緩衝部材２１０の第二辺縁２１７が囲んでなる。
【００３２】
前記下緩衝部８１６は、略長方体であり、前記前緩衝部８１２と前記後緩衝部８１４との間に位置する。前記下緩衝部８１６の前後両端は、別々に前記前緩衝部８１２及び前記後緩衝部８１４に接続する。前記下緩衝部８１６は、折目線２６、５６、５７、５３、６０、６１と、前記第一開口２１６１の前辺縁と、前記第二開口２１６２の後辺縁と、前記第三開口２１６３の部分前辺縁と、前記第四開口２１６４の部分後辺縁と、前記第五開口２１６５及び前記第六開口２１６６の前記第四折目線２１２に近い辺縁とが囲んでなる。
【００３３】
２つの前記左緩衝部８１８は、前記前緩衝部８１２と前記後緩衝部８１４との間に位置し、且つ前記折目線２６と前記第五折目線２１４との間に位置する。１つの左緩衝部８１８は、前記前緩衝部８１２に接続されており、且つ折目線６０、６１と、前記隙間２１６８の後辺縁と、前記第四開口２１６４の前辺縁と、前記第六開口２１６６の前記第四折目線２１２から離れている辺縁とが囲んでなる。他の１つの左緩衝部８１８は、前記後緩衝部８１４に接続し、且つ折目線５６、５７と、前記第三開口２１６３の後辺縁と、前記第一開口２１６１の前辺縁と、前記第五開口２１６５の前記第四折目線２１２から離れている辺縁とが囲んでなる。２つの前記左緩衝部８１８の前記第五開口２１６５及び前記第六開口２１６６に囲まれる部分は、別々に前記第五開口２１６５及び前記第六開口２１６６を貫き、且つ前記下緩衝部８１６の前記折目線２６と前記第四折目線２１２との間の部分に当接する。
【００３４】
図１〜図３を参照すると、前記左上緩衝部材１９０を順次に前記第一折目線１９２、前記第二折目線１９４、前記第三折目線１９６に沿って前記左壁板１３０の内側へ折り曲げて、矩形の第二緩衝部８２０を形成する。前記第二緩衝部８２０は、前記左壁板１３０の上辺縁に接続される。
【００３５】
次に、前記右下緩衝部材２２０を折り曲げて第三緩衝部８３０を形成する。前記第三緩衝部８３０は、前記右壁板１４０に固定される。前記右下緩衝部材２２０を折り曲げて前記第三緩衝部８３０を形成する方式は、前記左下緩衝部材２１０を折り曲げて前記第一緩衝部８１０を形成する方式と同じであるので、具体的な説明を省略する。
【００３６】
次に、前記右上緩衝部材２００を折り曲げて第四緩衝部８４０を形成する。前記第四緩衝部８４０は、前記右壁板１４０の上辺縁に接続される。前記右上緩衝部材２００を折り曲げて前記第四緩衝部８４０を形成する方式は、前記左上緩衝部材１９０を折り曲げて前記第二緩衝部８２０を形成する方式と同じであるので、具体的な説明を省略する。
【００３７】
次に、前記折目線２１に沿って前記前底板１５０を折り曲げ、且つ前記折目線２３に沿って前記後底板１６０を折り曲げて、前記包装箱９９の底板を形成してから、テープ又は他の方式によって前記前底板１５０及び前記後底板１６０の継目辺縁を固定する。
【００３８】
図１、図４及び図５を参照すると、続いて、２つの前記第六折目線２４２に沿って前記前挿入部材２４０を折り曲げて第五緩衝部８５０を形成してから、前記第五緩衝部８５０の対向する両端を別々に前記第一緩衝部８１０及び前記第三緩衝部８３０に挿入する。
【００３９】
前記第五緩衝部８５０は、中間に位置する緩衝部８５２と、前記緩衝部８５２の両端に接続される第一固定部８５４及び第二固定部８５６と、前記第二固定部８５６に接続される挿入部８５８と、を備える。前記緩衝部８５２は、前記中間部分２４４及び２つの前記側面２４６の緩衝部分２４６２が２つの前記第六折目線２４２に沿って折り曲げられて形成される。前記第一固定部８５４は、２つの前記第一係合部分２４６４が重ねられて形成され、前記第一固定部８５４の両端は前記係合口２４６９によってそれぞれ前記第三緩衝部８３０の第一開口２１６１及び前記第四緩衝部８４０の開口２０２に係合する。前記第二固定部８５６は、２つの前記第二係合部分２４６６が重ねられて形成され、前記第二固定部８５６の両端は前記係合口２４６９によってそれぞれ前記第一緩衝部８１０の第二開口２１６２及び前記第二緩衝部８２０の開口１９８に係合する。前記挿入部８５８は、２つの前記挿入部分２４６８が重ねられて形成され、且つ前記隙間２１６８を貫いて前記第二固定部８５６と前記左壁板１３０との間に位置する。
【００４０】
最後に、前記後挿入部材２５０を折り曲げて第六緩衝部８６０を形成してから、前記第六緩衝部８６０の対向する両端を別々に前記第一緩衝部８１０及び前記第三緩衝部８３０に挿入する。前記後挿入部材２５０を折り曲げて前記第六緩衝部８６０を形成する方式は、前記前挿入部材２４０を折り曲げて前記第五緩衝部８５０を形成する方式と同じである。前記第六緩衝部８６０の構造は、前記第五緩衝部８５０の構造と類似するが、前記第六緩衝部８６０には前記挿入部８５８が設けられておらず、且つ前記第六緩衝部８６０の第二固定部８５６は釣状であるから、前記第六緩衝部８６０の第二固定部８５６は前記第二開口２１６２を貫いて前記第三緩衝部８３０に釣れる。
【００４１】
包装する場合、先ず、被包装物を前記第一緩衝部８１０、前記第三緩衝部８３０、前記第五緩衝部８５０及び前記第六緩衝部８６０の間に載置してから、前記第二緩衝部８２０及び前記第四緩衝部８４０で前記被包装物の対向する両端を覆う。前記第一緩衝部８１０及び前記第二緩衝部８２０は、対応設置されて前記被包装物の左端部の上下両側に位置する。前記第三緩衝部８３０及び前記第四緩衝部８４０は、対応設置されて前記被包装物の右端部の上下両側に位置する。前記第二緩衝部８２０は前記第一緩衝部８１０の下緩衝部８１６に平行としし、前記第四緩衝部８４０は前記第三緩衝部８３０の下緩衝部８１６に平行とする。
【００４２】
次に、前記折目線２２に沿って前記前頂板１７０を折り曲げ、且つ前記折目線２４に沿って前記後頂板１８０を折り曲げて、前記包装箱９９の頂板を形成してから、テープ又は他の方式によって前記前頂板１７０及び前記後頂板１８０のドッキング辺縁を固定して、前記被包装物を完全に包装した。
【００４３】
前記第一緩衝部８１０、前記第二緩衝部８２０、前記第三緩衝部８３０及び前記第四緩衝部８４０は、前記包装箱９９と一体成型されており、被包装物を前記第一緩衝部８１０、前記第三緩衝部８３０、前記第五緩衝部８５０及び前記第六緩衝部８６０の間に載置してから、前記被包装物の周囲に防振材料を充填することを必要とせず、従って包装の複雑度を低減する。
【００４４】
以上、本発明を実施例に基づいて具体的に説明したが、本発明は、上述の実施例に限定されるものではなく、その要旨を逸脱しない範囲において、種種変更可能であることは勿論であって、本発明の保護範囲は、以下の特許請求の範囲から決まる。
【符号の説明】
【００４５】
１１，１２，１３，１４，２１，２２，２３，２４，２５，２６，２７，２８，５１，５２，５３，５４，５５，５６，５７，５８，５９，６０，６１  折目線
３１  第一部分
３２  第二部分
３３  第三部分
３４  第四部分
３５  第五部分
３６  第六部分
３７  第七部分
３８  第八部分
８８  板材
９９  包装箱
１１０  前壁板
１２０  後壁板
１３０  左壁板
１４０  右壁板
１５０  前底板
１６０  後底板
１７０  前頂板
１８０  後頂板
１９０  左上緩衝部材
１９２  第一折目線
１９４  第二折目線
１９６  第三折目線
１９８，２０２  開口
２００  右上緩衝部材
２１０  左下緩衝部材
２１２  第四折目線
２１４  第五折目線
２１６  第一辺縁
２１７  第二辺縁
２１８  第三辺縁
２２０  右下緩衝部材
２３０  固定板
２４０  前挿入部材
２４２  第六折目線
２４４  中間部分
２４６  側面
２５０  後挿入部材
８１０  第一緩衝部
８１２  前緩衝部
８１４  後緩衝部
８１６  下緩衝部
８１８  左緩衝部
８２０  第二緩衝部
８３０  第三緩衝部
８４０  第四緩衝部
８５０  第五緩衝部
８５２  緩衝部
８５４  第一固定部
８５６  第二固定部
８５８  挿入部
８６０  第六緩衝部
２１６１  第一開口
２１６２  第二開口
２１６３  第三開口
２１６４  第四開口
２１６５  第五開口
２１６６  第六開口
２１６７  第七開口
２１６８  隙間
２４６２  緩衝部分
２４６４  第一係合部分
２４６６  第二係合部分
２４６８  挿入部分
２４６９  係合口
【図１】
2011195201.tif 000003
【図２】
2011195201.tif 000004
【図３】
2011195201.tif 000005
【図４】
2011195201.tif 000006
【図５】
2011195201.tif 000007